(57)【要約】【課題】  法的な規定を満たす直通階段の作図を、手戻りによる作業負担の増大を抑制しつつ簡易に行うことができる階段作図支援装置、階段作図支援方法及び階段作図支援プログラムを得る。【解決手段】  直通階段の作図に必要な各部寸法のうち、当該直通階段が設けられる建築物の条件毎に法律で規定されている寸法の制限条件を示す制限情報をハードディスク２８に予め記憶しておき、作図対象とする直通階段が設けられる建築物の条件及び当該直通階段における階段室の平面寸法をキーボード１４及びマウス１６により入力させ、ＣＰＵ２２により、入力された平面寸法に基づいて前記法律で規定されている寸法を演算した後、入力された建築物の条件に応じた前記制限情報をハードディスク２８から読み出し、読み出した前記制限情報により示される制限条件を前記演算した寸法が満たすか否かを判定して当該判定結果をディスプレイ１８により明示する。【選択図】        図２
2005148825.tif 000002
【特許請求の範囲】
【請求項１】
建築物に設けられる直通階段の作図を支援する階段作図支援装置であって、
直通階段の作図に必要な各部寸法のうち、当該直通階段が設けられる建築物の条件毎に法律で規定されている寸法の制限条件を示す制限情報を予め記憶した記憶手段と、
作図対象とする直通階段が設けられる建築物の条件を入力する建築物条件入力手段と、
前記作図対象とする直通階段における階段室の平面寸法を入力する寸法入力手段と、
前記寸法入力手段により入力された平面寸法に基づいて前記法律で規定されている寸法を演算する演算手段と、
前記建築物条件入力手段により入力された建築物の条件に応じた前記制限情報を前記記憶手段から読み出し、当該制限情報により示される制限条件を前記演算手段により演算された寸法が満たすか否かを判定する判定手段と、
前記判定手段による判定結果を明示する明示手段と、
を備えた階段作図支援装置。
【請求項２】
前記記憶手段は、前記制限情報として、階段有効幅寸法、踏面寸法、及び蹴上げ寸法の各制限条件を示す情報を建築物の条件毎に予め記憶し、
前記寸法入力手段は、前記階段室の平面寸法として、当該階段室における段配置範囲及び階段室幅を示す寸法を入力すると共に、前記作図対象とする直通階段が設けられる建築物の当該直通階段が設けられる階層の階高を更に入力し、
前記演算手段は、前記寸法入力手段により入力された前記階段室幅に基づいて階段有効幅寸法を演算すると共に、前記建築物条件入力手段により入力された建築物の条件に応じた前記踏面寸法の制限条件を示す制限情報を前記記憶手段から読み出し、当該制限条件を満たす踏面寸法と前記寸法入力手段により入力された前記段配置範囲とに基づいて前記階層毎の段数を演算した後、当該段数と前記寸法入力手段により入力された階高に基づいて蹴上げ寸法を演算する
請求項１記載の階段作図支援装置。
【請求項３】
前記判定手段により制限条件を満たすと判定された場合に、前記寸法入力手段により入力された前記平面寸法と、前記演算手段により演算された前記法律で規定されている寸法とに基づいて前記作図対象とする直通階段の平面モデル及び断面モデルの少なくとも一方を作成する作成手段
を更に備えた請求項１又は請求項２記載の階段作図支援装置。
【請求項４】
前記寸法入力手段は、前記階段室の平面寸法を当該階段室における平面視４頂点のうちの３頂点を前記作図対象とする直通階段の登り方向又は下り方向を示す順序で入力するものとし、
前記作成手段は、前記寸法入力手段を介した前記３頂点の入力順序に応じて前記直通階段の登り方向又は下り方向を判断して前記平面モデル及び断面モデルの少なくとも一方を作成する
請求項３記載の階段作図支援装置。
【請求項５】
前記寸法入力手段により入力された寸法及び前記演算手段により演算された寸法を用いて作成された前記作図対象とする直通階段の平面略図を表示するための表示手段
を更に備えた請求項１乃至請求項４の何れか１項記載の階段作図支援装置。
【請求項６】
前記寸法入力手段は、入力対象を、前記作図対象とする直通階段の構造毎に入力し、
前記演算手段は、前記作図対象とする直通階段の構造毎に予め定められた演算式により前記演算を行う
請求項１乃至請求項５の何れか１項記載の階段作図支援装置。
【請求項７】
建築物に設けられる直通階段の作図を支援する階段作図支援方法であって、
直通階段の作図に必要な各部寸法のうち、当該直通階段が設けられる建築物の条件毎に法律で規定されている寸法の制限条件を示す制限情報を記憶手段に予め記憶しておき、
作図対象とする直通階段が設けられる建築物の条件及び当該直通階段における階段室の平面寸法を入力させ、
入力された平面寸法に基づいて前記法律で規定されている寸法を演算し、
入力された建築物の条件に応じた前記制限情報を前記記憶手段から読み出し、
読み出した前記制限情報により示される制限条件を前記演算した寸法が満たすか否かを判定し、
判定結果を明示する、
階段作図支援方法。
【請求項８】
前記記憶手段に、前記制限情報として、階段有効幅寸法、踏面寸法、及び蹴上げ寸法の各制限条件を示す情報を建築物の条件毎に予め記憶しておき、
前記階段室の平面寸法として、当該階段室における段配置範囲及び階段室幅を示す寸法を入力させると共に、前記作図対象とする直通階段が設けられる建築物の当該直通階段が設けられる階層の階高を更に入力させ、
入力された前記階段室幅に基づいて階段有効幅寸法を演算すると共に、入力された建築物の条件に応じた前記踏面寸法の制限条件を示す制限情報を前記記憶手段から読み出し、当該制限条件を満たす踏面寸法と入力された前記段配置範囲とに基づいて前記階層毎の段数を演算した後、当該段数と入力された階高に基づいて蹴上げ寸法を演算する
請求項７記載の階段作図支援方法。
【請求項９】
前記制限条件を満たすと判定された場合に、入力された前記平面寸法、及び演算された前記法律で規定されている寸法に基づいて前記作図対象とする直通階段の平面モデル及び断面モデルの少なくとも一方を作成する
請求項７又は請求項８記載の階段作図支援方法。
【請求項１０】
建築物に設けられる直通階段の作図に必要な各部寸法のうち、当該直通階段が設けられる建築物の条件毎に法律で規定されている寸法の制限条件を示す制限情報を予め記憶した記憶手段を用いて直通階段の作図を支援する階段作図支援プログラムであって、
作図対象とする直通階段が設けられる建築物の条件を入力する建築物条件入力ステップと、
前記作図対象とする直通階段における階段室の平面寸法を入力する寸法入力ステップと、
前記寸法入力ステップにより入力された平面寸法に基づいて前記法律で規定されている寸法を演算する演算ステップと、
前記建築物条件入力ステップにより入力された建築物の条件に応じた前記制限情報を前記記憶手段から読み出し、当該制限情報により示される制限条件を前記演算ステップにより演算された寸法が満たすか否かを判定する判定ステップと、
前記判定ステップによる判定結果を明示する明示ステップと、
をコンピュータに実行させる階段作図支援プログラム。
【請求項１１】
前記記憶手段に、前記制限情報として、階段有効幅寸法、踏面寸法、及び蹴上げ寸法の各制限条件を示す情報を建築物の条件毎に予め記憶しておくと共に、
前記寸法入力ステップは、前記階段室の平面寸法として、当該階段室における段配置範囲及び階段室幅を示す寸法を入力すると共に、前記作図対象とする直通階段が設けられる建築物の当該直通階段が設けられる階層の階高を更に入力し、
前記演算ステップは、前記寸法入力ステップにより入力された前記階段室幅に基づいて階段有効幅寸法を演算すると共に、前記建築物条件入力ステップにより入力された建築物の条件に応じた前記踏面寸法の制限条件を示す制限情報を前記記憶手段から読み出し、当該制限条件を満たす踏面寸法と前記寸法入力ステップにより入力された前記段配置範囲とに基づいて前記階層毎の段数を演算した後、当該段数と前記寸法入力ステップにより入力された階高に基づいて蹴上げ寸法を演算する
請求項１０記載の階段作図支援プログラム。
【請求項１２】
前記判定ステップにより制限条件を満たすと判定された場合に、前記寸法入力ステップにより入力された前記平面寸法と、前記演算ステップにより演算された前記法律で規定されている寸法とに基づいて前記作図対象とする直通階段の平面モデル及び断面モデルの少なくとも一方を作成する作成ステップ
を更に有する請求項１０又は請求項１１記載の階段作図支援プログラム。
【発明の詳細な説明】
【技術分野】
【０００１】
本発明は、階段作図支援装置、階段作図支援方法及び階段作図支援プログラムに係り、より詳しくは、建築物に設けられる直通階段の作図を支援する階段作図支援装置、階段作図支援方法及び階段作図支援プログラムに関する。
【背景技術】
【０００２】
建築物の階段は、建築基準法上、避難施設として扱われ、階段有効幅や段形状寸法に対する制限条件が予め規定されている。また、一定規模以上の建築物では、建築物の避難階以外の階にある居室から定められた距離以内に設けられた階段で、避難階又は地上に直接通じるように連続して設けられた階段を「直通階段」として各種規定が定められている。
【０００３】
ところで、従来、このような直通階段を含めた各種階段の図面を作成する場合、階高の異なる階毎に平面図及び断面図のスケッチを作成し、段割り計算による検討の後、正式な階段図面の作成を行っていた。なお、上記「段割り」とは、階高と踏面・蹴上げの寸法を考慮しながら段数を割り付けていく設計手順である。また、上記「踏面」とは、踏板の表面をいい、上記「蹴上げ」とは、階段１段の高さ、踏み段１段の高さをいう。ここで、本明細書では、上記「蹴上げ」を、便宜上、「ケ上げ」と表記する場合もある。
【０００４】
ここで、当該階段図面の作成に当たっては、設計及び施工に必要な階段図面を異なる時期に異なる人が作成することが多く、これに伴う不整合の発生等により非効率的な図面作成方法となっている場合が多々散見された。
【０００５】
これに対し、階段図面をＣＡＤ（Computer Aided Design）システムにより統合的かつ効率的に作成するための技術として、従来、次に示すものがあった。
【０００６】
まず、特許文献１には、階段が複数組み合わされた形状の階段を新たに登録することなく生成することのできる組み合わせ階段の生成方式を実現することを目的として、予め登録されている部品の中から生成する組み合わせ階段の構成部品を選択するステップと、当該ステップにて選択された部品の各部の寸法及び形態を設定して組み合わせ部品とするパラメータ設定ステップと、現在選択状態にある組み合わせ部品とそれまでに選択されている組み合わせ部品との接続位置を設定するステップと、前記パラメータ設定ステップにて選択された部品の段部のタイプを設定するステップと、指定位置に手摺を設定するステップと、前記の各ステップにより設定された組み合わせ階段を指定位置へ設定するステップと、を有することを特徴とする技術が開示されている。
【０００７】
また、特許文献２には、様々な形状の折り返し階段を必要な階数分だけ迅速かつ簡単に生成し配置することができるようにすることを目的として、生成したい折り返し階段の各部分の寸法及び形態を決定する段部各パラメータ設定部と、当該段部各パラメータ設定部で設定された折り返し階段の構造形式を選択する階段タイプ設定部と、当該階段タイプ設定部で設定された折り返し階段に手摺を取り付け、そのタイプ及び寸法を設定する手摺位置・タイプ設定部と、平面図面内に前記手摺位置・タイプ設定部で設定された折り返し階段を設置する階段設定位置指定部と、を有することを特徴とする技術が開示されている。
【０００８】
更に、特許文献３には、階段の構成、必要面積の決定等が容易かつ迅速に行えるようにし、能率良く階段の製作ができるようにすることを目的として、階段の基本パターンと、該基本パターンに基づく応用パターンを整理して記憶手段に登録し、構築すべき階段の概要に対応して、前記記憶手段から組み合わせるべき基本パターンと応用パターンを呼び出すと共に、必要なパラメータを与えて演算処理することにより階段の構成図を得、前記演算処理結果に基づいて必要な図面を作成し、作成した図面に基づいて階段の構成部材を製造することを特徴とする技術が開示されている。
【特許文献１】特開平５−８１３８１号公報
【特許文献２】特許第２９２９６３６号公報
【特許文献３】特許第３０６９９６４号公報
【発明の開示】
【発明が解決しようとする課題】
【０００９】
ところで、建築物の階段各部の寸法には、建築基準法により制限条件が定められているものがあることは前述した通りである。
【００１０】
しかしながら、特許文献１の技術では、当該制限条件については何ら考慮されていないため、法的な基準を満たすことのできる階段図面を作成することが困難である、という問題点があった。
【００１１】
また、特許文献２及び特許文献３の技術では、当該制限条件を把握した上で各部分の寸法を設定する必要があるため、当該設定が容易ではない、という問題点があった。
【００１２】
更に、特許文献２の技術は、部品を組み合わせて折り返し階段の３次元モデルを生成するものであるため、階段周辺の条件（壁位置）との整合条件を設定者自身が判断し数値化して部品各寸法に反映する必要があり、このための作業が煩雑であると共に、当該整合状態を確認できるのは、生成した折り返し階段の３次元モデルをＣＡＤ上で平面図面内に設置した後であるため、不整合が生じた場合には再度最初の処理から実行し直す必要があり、このような手戻りによる作業負担が大きい、という問題点もあった。
【００１３】
本発明は上記問題点を解消するためになされたものであり、法的な規定を満たす直通階段の作図を、手戻りによる作業負担の増大を抑制しつつ簡易に行うことができる階段作図支援装置、階段作図支援方法及び階段作図支援プログラムを提供することを目的とする。
【課題を解決するための手段】
【００１４】
上記目的を達成するために、請求項１記載の階段作図支援装置は、建築物に設けられる直通階段の作図を支援する階段作図支援装置であって、直通階段の作図に必要な各部寸法のうち、当該直通階段が設けられる建築物の条件毎に法律で規定されている寸法の制限条件を示す制限情報を予め記憶した記憶手段と、作図対象とする直通階段が設けられる建築物の条件を入力する建築物条件入力手段と、前記作図対象とする直通階段における階段室の平面寸法を入力する寸法入力手段と、前記寸法入力手段により入力された平面寸法に基づいて前記法律で規定されている寸法を演算する演算手段と、前記建築物条件入力手段により入力された建築物の条件に応じた前記制限情報を前記記憶手段から読み出し、当該制限情報により示される制限条件を前記演算手段により演算された寸法が満たすか否かを判定する判定手段と、前記判定手段による判定結果を明示する明示手段と、を備えている。
【００１５】
請求項１記載の階段作図支援装置によれば、直通階段の作図に必要な各部寸法のうち、当該直通階段が設けられる建築物の条件毎に法律で規定されている寸法の制限条件を示す制限情報が記憶手段によって予め記憶される。なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、スマート・メディア（SmartMedia(R)）、ｘＤピクチャーカード（xD-Picture Card）、コンパクト・フラッシュ（CompactFlash）、ＡＴＡ（AT Attachment）カード、マイクロドライブ、フロッピィディスク、ＣＤ−Ｒ（Compact Disc-Recordable）、ＣＤ−ＲＷ（Compact Disc-ReWritable）、光磁気ディスク等の可搬記録媒体やハードディスク等の固定記録媒体、或いはネットワークに接続されたサーバ・コンピュータ等に設けられた外部記憶装置が含まれる。
【００１６】
また、本発明では、作図対象とする直通階段が設けられる建築物の条件が建築物条件入力手段により入力されると共に、当該直通階段における階段室の平面寸法が寸法入力手段により入力される。なお、上記建築物条件入力手段及び寸法入力手段には、キーボード、タッチパネル、タブレット、デジタイザ、マウスが含まれる。
【００１７】
ここで、本発明では、寸法入力手段により入力された平面寸法に基づいて前記法律で規定されている寸法が演算手段によって演算され、判定手段により、建築物条件入力手段により入力された建築物の条件に応じた前記制限情報が記憶手段から読み出され、当該制限情報により示される制限条件を前記演算手段により演算された寸法が満たすか否かが判定され、更に、判定手段による判定結果が明示手段によって明示される。なお、当該明示手段による判定結果の明示は、ディスプレイ装置による表示による明示の他、警告音の鳴動による明示や、音声による明示等が含まれる。
【００１８】
すなわち、本発明では、直通階段の作図に必要な各部寸法のうち、当該直通階段が設けられる建築物の条件毎に法律で規定されている寸法の制限条件を示す制限情報を記憶手段によって予め記憶しておくと共に、作図対象とする直通階段における階段室の平面寸法を入力させ、入力された平面寸法に基づいて上記法律で規定されている寸法を演算した後、当該演算によって得られた寸法が適法であるか違法であるかを、記憶手段に記憶されている制限情報により示される制限条件を、演算された寸法が満たすか否かを判定することにより自動的に判定し、当該判定結果を明示するようにしており、これによって、ユーザに対して法的な制限条件の知識を要求することなく、法的な規定を満たす直通階段の作図を簡易に行うことができるようにしている。
【００１９】
また、本発明では、ユーザによって入力された階段室の平面寸法に基づいて法律で規定されている寸法を演算するようにしており、これによって、当該階段室内に収まる範囲内で当該法律で規制されている寸法を演算することができ、階段周辺の条件（壁位置）との整合性を高めることができ、この結果として、手戻りによる作業負担の増大を抑制することができるようにしている。
【００２０】
このように、請求項１記載の階段作図支援装置によれば、直通階段の作図に必要な各部寸法のうち、当該直通階段が設けられる建築物の条件毎に法律で規定されている寸法の制限条件を示す制限情報を記憶手段に予め記憶しておき、作図対象とする直通階段が設けられる建築物の条件及び当該直通階段における階段室の平面寸法を入力させ、入力された平面寸法に基づいて前記法律で規定されている寸法を演算し、入力された建築物の条件に応じた前記制限情報を前記記憶手段から読み出し、読み出した前記制限情報により示される制限条件を前記演算した寸法が満たすか否かを判定し、当該判定結果を明示しているので、法的な規定を満たす直通階段の作図を、手戻りによる作業負担の増大を抑制しつつ簡易に行うことができる。
【００２１】
なお、本発明は、請求項２に記載の発明のように、前記記憶手段は、前記制限情報として、階段有効幅寸法、踏面寸法、及び蹴上げ寸法の各制限条件を示す情報を建築物の条件毎に予め記憶し、前記寸法入力手段は、前記階段室の平面寸法として、当該階段室における段配置範囲及び階段室幅を示す寸法を入力すると共に、前記作図対象とする直通階段が設けられる建築物の当該直通階段が設けられる階層の階高を更に入力し、前記演算手段は、前記寸法入力手段により入力された前記階段室幅に基づいて階段有効幅寸法を演算すると共に、前記建築物条件入力手段により入力された建築物の条件に応じた前記踏面寸法の制限条件を示す制限情報を前記記憶手段から読み出し、当該制限条件を満たす踏面寸法と前記寸法入力手段により入力された前記段配置範囲とに基づいて前記階層毎の段数を演算した後、当該段数と前記寸法入力手段により入力された階高に基づいて蹴上げ寸法を演算することが好ましい。これにより、建築基準法による階段有効幅寸法、踏面寸法、及び蹴上げ寸法の各制限条件を満たす直通階段の作図を、手戻りによる作業負担の増大を抑制しつつ簡易に行うことができる。
【００２２】
また、本発明は、請求項３に記載の発明のように、前記判定手段により制限条件を満たすと判定された場合に、前記寸法入力手段により入力された前記平面寸法と、前記演算手段により演算された前記法律で規定されている寸法とに基づいて前記作図対象とする直通階段の平面モデル及び断面モデルの少なくとも一方を作成する作成手段を更に備えることが好ましい。これにより、法的な規定を満たす直通階段の平面モデル及び断面モデルの少なくとも一方の作成を、手戻りによる作業負担の増大を抑制しつつ簡易に行うことができる。
【００２３】
また、請求項３に記載の発明は、請求項４に記載の発明のように、前記寸法入力手段は、前記階段室の平面寸法を当該階段室における平面視４頂点のうちの３頂点を前記作図対象とする直通階段の登り方向又は下り方向を示す順序で入力するものとし、前記作成手段は、前記寸法入力手段を介した前記３頂点の入力順序に応じて前記直通階段の登り方向又は下り方向を判断して前記平面モデル及び断面モデルの少なくとも一方を作成することが好ましい。これにより、直通階段の登り方向又は下り方向の入力を、階段室の平面寸法の入力を行うことのみによって行うことができ、ユーザに対する作業負担を軽減させることができる。
【００２４】
また、本発明は、請求項５に記載の発明のように、前記寸法入力手段により入力された寸法及び前記演算手段により演算された寸法を用いて作成された前記作図対象とする直通階段の平面略図を表示するための表示手段を更に備えることが好ましい。これにより、表示手段によって表示された平面略図を参照しつつ作図作業を進めることができるので、利便性を向上させることができる。
【００２５】
なお、上記表示手段には、ＣＲＴディスプレイ、液晶ディスプレイ、プラズマ・ディスプレイ、有機ＥＬディスプレイ等のディスプレイが含まれる。
【００２６】
更に、本発明は、請求項６に記載の発明のように、前記寸法入力手段は、入力対象を、前記作図対象とする直通階段の構造毎に入力し、前記演算手段は、前記作図対象とする直通階段の構造毎に予め定められた演算式により前記演算を行うことが好ましい。これにより、作図対象とする直通階段の構造に応じた演算を行うことができ、法律で規定されている寸法を、より高精度に演算することができる。なお、上記直通階段の構造には、Ｓ造（鉄骨造）及びＲＣ造（鉄筋コンクリート造）が含まれる。
【００２７】
一方、上記目的を達成するために、請求項７記載の階段作図支援方法は、建築物に設けられる直通階段の作図を支援する階段作図支援方法であって、直通階段の作図に必要な各部寸法のうち、当該直通階段が設けられる建築物の条件毎に法律で規定されている寸法の制限条件を示す制限情報を記憶手段に予め記憶しておき、作図対象とする直通階段が設けられる建築物の条件及び当該直通階段における階段室の平面寸法を入力させ、入力された平面寸法に基づいて前記法律で規定されている寸法を演算し、入力された建築物の条件に応じた前記制限情報を前記記憶手段から読み出し、読み出した前記制限情報により示される制限条件を前記演算した寸法が満たすか否かを判定し、判定結果を明示するものである。
【００２８】
従って、請求項７記載の階段作図支援方法によれば、請求項１記載の発明と同様に作用するので、請求項１記載の発明と同様に、法的な規定を満たす直通階段の作図を、手戻りによる作業負担の増大を抑制しつつ簡易に行うことができる。
【００２９】
なお、請求項７記載の発明は、請求項８に記載の発明のように、前記記憶手段に、前記制限情報として、階段有効幅寸法、踏面寸法、及び蹴上げ寸法の各制限条件を示す情報を建築物の条件毎に予め記憶しておき、前記階段室の平面寸法として、当該階段室における段配置範囲及び階段室幅を示す寸法を入力させると共に、前記作図対象とする直通階段が設けられる建築物の当該直通階段が設けられる階層の階高を更に入力させ、入力された前記階段室幅に基づいて階段有効幅寸法を演算すると共に、入力された建築物の条件に応じた前記踏面寸法の制限条件を示す制限情報を前記記憶手段から読み出し、当該制限条件を満たす踏面寸法と入力された前記段配置範囲とに基づいて前記階層毎の段数を演算した後、当該段数と入力された階高に基づいて蹴上げ寸法を演算することが好ましい。これにより、建築基準法による階段有効幅寸法、踏面寸法、及び蹴上げ寸法の各制限条件を満たす直通階段の作図を、手戻りによる作業負担の増大を抑制しつつ簡易に行うことができる。
【００３０】
また、請求項７又は請求項８に記載の発明は、請求項９に記載の発明のように、前記制限条件を満たすと判定された場合に、入力された前記平面寸法、及び演算された前記法律で規定されている寸法に基づいて前記作図対象とする直通階段の平面モデル及び断面モデルの少なくとも一方を作成することが好ましい。これにより、法的な規定を満たす直通階段の平面モデル及び断面モデルの少なくとも一方の作成を、手戻りによる作業負担の増大を抑制しつつ簡易に行うことができる。
【００３１】
一方、上記目的を達成するために、請求項１０記載の階段作図支援プログラムは、建築物に設けられる直通階段の作図に必要な各部寸法のうち、当該直通階段が設けられる建築物の条件毎に法律で規定されている寸法の制限条件を示す制限情報を予め記憶した記憶手段を用いて直通階段の作図を支援する階段作図支援プログラムであって、作図対象とする直通階段が設けられる建築物の条件を入力する建築物条件入力ステップと、前記作図対象とする直通階段における階段室の平面寸法を入力する寸法入力ステップと、前記寸法入力ステップにより入力された平面寸法に基づいて前記法律で規定されている寸法を演算する演算ステップと、前記建築物条件入力ステップにより入力された建築物の条件に応じた前記制限情報を前記記憶手段から読み出し、当該制限情報により示される制限条件を前記演算ステップにより演算された寸法が満たすか否かを判定する判定ステップと、前記判定ステップによる判定結果を明示する明示ステップと、をコンピュータに実行させるものである。
【００３２】
従って、請求項１０記載の階段作図支援プログラムによれば、コンピュータに対して請求項１記載の発明と同様に作用させることができるので、請求項１記載の発明と同様に、法的な規定を満たす直通階段の作図を、手戻りによる作業負担の増大を抑制しつつ簡易に行うことができる。
【００３３】
なお、請求項１０記載の発明は、請求項１１に記載の発明のように、前記記憶手段に、前記制限情報として、階段有効幅寸法、踏面寸法、及び蹴上げ寸法の各制限条件を示す情報を建築物の条件毎に予め記憶しておくと共に、前記寸法入力ステップは、前記階段室の平面寸法として、当該階段室における段配置範囲及び階段室幅を示す寸法を入力すると共に、前記作図対象とする直通階段が設けられる建築物の当該直通階段が設けられる階層の階高を更に入力し、前記演算ステップは、前記寸法入力ステップにより入力された前記階段室幅に基づいて階段有効幅寸法を演算すると共に、前記建築物条件入力ステップにより入力された建築物の条件に応じた前記踏面寸法の制限条件を示す制限情報を前記記憶手段から読み出し、当該制限条件を満たす踏面寸法と前記寸法入力ステップにより入力された前記段配置範囲とに基づいて前記階層毎の段数を演算した後、当該段数と前記寸法入力ステップにより入力された階高に基づいて蹴上げ寸法を演算することが好ましい。これにより、建築基準法による階段有効幅寸法、踏面寸法、及び蹴上げ寸法の各制限条件を満たす直通階段の作図を、手戻りによる作業負担の増大を抑制しつつ簡易に行うことができる。
【００３４】
また、請求項１０又は請求項１１に記載の発明は、請求項１２に記載の発明のように、前記判定ステップにより制限条件を満たすと判定された場合に、前記寸法入力ステップにより入力された前記平面寸法と、前記演算ステップにより演算された前記法律で規定されている寸法とに基づいて前記作図対象とする直通階段の平面モデル及び断面モデルの少なくとも一方を作成する作成ステップを更に有することが好ましい。これにより、法的な規定を満たす直通階段の平面モデル及び断面モデルの少なくとも一方の作成を、手戻りによる作業負担の増大を抑制しつつ簡易に行うことができる。
【発明の効果】
【００３５】
本発明によれば、直通階段の作図に必要な各部寸法のうち、当該直通階段が設けられる建築物の条件毎に法律で規定されている寸法の制限条件を示す制限情報を記憶手段に予め記憶しておき、作図対象とする直通階段が設けられる建築物の条件及び当該直通階段における階段室の平面寸法を入力させ、入力された平面寸法に基づいて前記法律で規定されている寸法を演算し、入力された建築物の条件に応じた前記制限情報を前記記憶手段から読み出し、読み出した前記制限情報により示される制限条件を前記演算した寸法が満たすか否かを判定し、当該判定結果を明示しているので、法的な規定を満たす直通階段の作図を、手戻りによる作業負担の増大を抑制しつつ簡易に行うことができる、という効果が得られる。
【発明を実施するための最良の形態】
【００３６】
以下、図面を参照して、本発明を実施するための最良の形態について詳細に説明する。まず、図１及び図２を参照して、本発明が適用された階段作図支援装置１０の構成を説明する。
【００３７】
図１に示すように、本実施の形態に係る階段作図支援装置１０は、本装置の全体的な動作を制御する制御部１２と、ユーザからの各種情報等の入力に使用するキーボード１４及びマウス１６と、本装置による処理結果や各種メニュー画面、メッセージ等を表示するディスプレイ１８と、を含んで構成されている。すなわち、本実施の形態に係る階段作図支援装置１０は、通常のパーソナル・コンピュータで構成されている。
【００３８】
次に、図２を参照して、本実施の形態に係る階段作図支援装置１０の電気系の主要構成を説明する。
【００３９】
同図に示すように、階段作図支援装置１０は、階段作図支援装置１０全体の動作を司るＣＰＵ（中央処理装置）２２と、ＣＰＵ２２による各種プログラムの実行時のワークエリア等として用いられるＲＡＭ（Random Access Memory）２４と、各種制御プログラムや各種パラメータ等が予め記憶されたＲＯＭ（Read Only Memory）２６と、各種情報を記憶するために用いられるハードディスク２８と、前述のキーボード１４、マウス１６、及びディスプレイ１８と、外部に接続された装置との間の各種情報の授受を司る外部インタフェース３０と、がシステムバスＢＵＳにより相互に接続されて構成されている。なお、外部インタフェース３０にはプリンタ５０（図１では図示省略。）が接続されている。
【００４０】
従って、ＣＰＵ２２は、ＲＡＭ２４、ＲＯＭ２６、及びハードディスク２８に対するアクセス、キーボード１４及びマウス１６を介した各種情報の取得、ディスプレイ１８に対する各種情報の表示、及び外部インタフェース３０を介したプリンタ５０による各種図面等の印刷、を各々行うことができる。
【００４１】
ところで、本実施の形態に係る階段作図支援装置１０は、ＣＡＤ用のソフトウェアがインストールされており、当該ソフトウェアによって建築物の各種設計・施工図面が作図できるものとして構成されている。
【００４２】
図３には、階段作図支援装置１０に備えられたハードディスク２８の主な記憶内容が模式的に示されている。同図に示すように、ハードディスク２８には、各種データを記憶するためのデータ領域ＤＴと、各種処理を行うためのプログラムを記憶するためのプログラム領域ＰＧと、が設けられている。
【００４３】
また、データ領域ＤＴには、上記のＣＡＤ用ソフトウェアにより作成された建築物の平面形状を示すデータ（以下、「ＣＡＤデータ」という。）を記憶するためのＣＡＤデータ領域ＤＴ１と、階段の寸法に関する法的な制限条件を示すデータが予め記憶された法的制限データ領域ＤＴ２と、が含まれる。なお、本実施の形態に係る法的制限データ領域ＤＴ２には、建築基準法で定められている階段有効幅、踏面及び蹴上げの各寸法の制限条件を示すデータが、建築物の各種条件毎に予め記憶されている。
【００４４】
ところで、本実施の形態に係る階段作図支援装置１０は、上記ＣＡＤ用ソフトウェアにより作成された、建築物の直通階段における階段室周辺の平面形状を示すＣＡＤデータを利用するものとされている。従って、階段作図支援装置１０において直通階段の設計・施工図面を作成する際には、階段室周辺に関するＣＡＤデータがハードディスク２８のＣＡＤデータ領域ＤＴ１に記憶されている。
【００４５】
次に、図４を参照して、本実施の形態に係る階段作図支援装置１０の直通階段の設計・施工図面を作成する際の作用を説明する。なお、図４は、ユーザによって直通階段の作図を行う際に階段作図支援装置１０のＣＰＵ２２により実行される階段作図支援プログラムの処理の流れを示すフローチャートであり、該プログラムはハードディスク２８のプログラム領域ＰＧに予め記憶されている。
【００４６】
まず、同図のステップ１００では、ユーザに対して階段室の平面寸法を入力させるための階段区画平面寸法入力画面をディスプレイ１８に表示し、次のステップ１０２にて所定情報の入力待ちを行う。
【００４７】
図６には、本実施の形態に係る階段区画平面寸法入力画面の表示状態が示されている。同図に示すように、当該画面では、作図対象とする直通階段の階段室周辺に対応する領域の拡大平面図がハードディスク２８のＣＡＤデータ領域ＤＴ１に記憶されているＣＡＤデータに基づいて表示されると共に、階段室の仕上位置の登り方向順での３点の指定を促すメッセージ及び階段室の段配置計画範囲の指定を促すメッセージが表示される。
【００４８】
当該画面がディスプレイ１８に表示されると、ユーザは、当該画面上で階段室の仕上位置を登り方向順に３点指定した後、階段室の段配置計画範囲を指定する。例えば、階段の登り方向が同図の矢印で示す平面視反時計回り方向である場合には、（１）、（２）、（３）の順に仕上位置の３角点を指定し、その後に（イ）、（ロ）の順に段配置計画範囲の端部を指定する。これによって、ＣＰＵ２２は、当該階段室の仕上位置の寸法、階段の登り方向、及び段配置計画範囲（同図斜線範囲）を特定することができる。なお、上記仕上位置及び段配置計画範囲の指定は、マウス１６を用いたポインティング指定によって行われる。
【００４９】
ユーザによって仕上位置及び段配置範囲の指定入力が終了すると、次のステップ１０４では、ユーザに対して作図対象とする建築物の直通階段が設けられる階における階数名と階高を入力させるための階高入力画面をディスプレイ１８に表示し、次のステップ１０６にて所定情報の入力待ちを行う。
【００５０】
図７には、本実施の形態に係る階高入力画面の表示状態が示されている。同図に示すように、当該画面では、入力領域Ａ内に階数名及び階高を入力するための矩形枠が表示される。
【００５１】
当該画面がディスプレイ１８に表示されると、ユーザは、階層毎の階数名及び階高を各々対応する矩形枠内にキーボード１４及びマウス１６を用いて入力した後に「入力」ボタンをマウス１６にてポインティング指定することを、階高を入力すべき全ての階層について繰り返して行う。この入力に伴ってＣＰＵ２２は、当該画面の右側に入力結果を一覧表示する。同図に示す例では、例えば、１階層目として階数名Ｂ２Ｆ（地下２階）が、当該階層の階高として‘４５００ｍｍ’が、各々入力され、３階層目として階数名１Ｆ（地上１階）が、当該階層の階高として‘３５００ｍｍ’が、各々入力された場合が示されている。
【００５２】
そして、ユーザは、階高を入力すべき全ての階層についての入力が終了した後に、当該画面の最下に表示されている「名前を付けて保存」ボタンをマウス１６にて指定することにより、入力した情報（以下、「階高情報」という。）を電子化ファイルとしてハードディスク２８の所定領域に記憶させ、その後に、「次へ」ボタンをマウス１６にて指定する。
【００５３】
なお、当該画面では、入力済みの階高情報の何れかの階に関する情報を削除する際に指定される「階削除」ボタン、入力済みの階高情報に対して新たに階を挿入する際に指定される「階挿入」ボタン、既にハードディスク２８に記憶されている階高情報の電子化ファイルを読み出す際に指定される「名前を指定して読込」ボタン、及び階段作図支援プログラムの実行を中止する際に指定される「終了」ボタンが表示されているが、錯綜を回避するために、これらのボタンに関するこれ以上の説明は省略し、ここでは、ユーザによって階高情報が入力されてハードディスク２８に記憶された後、「次へ」ボタンが指定される場合のみについて説明する。
【００５４】
ユーザによって「次へ」ボタンが指定されると、次のステップ１０８では、ユーザに対して作図対象とする直通階段の構造種別を入力させるための構造種別入力画面をディスプレイ１８に表示し、次のステップ１１０にて所定情報の入力待ちを行う。
【００５５】
図８には、本実施の形態に係る構造種別入力画面の表示状態が示されている。同図に示すように、当該画面では、直通階段の構造種別として指定可能な構造名としてＳ造（鉄骨造）及びＲＣ造（鉄筋コンクリート造）の２種類が表示されると共に、何れかの構造を選択するために指定する円形枠が対応する構造名に対応して表示される。
【００５６】
当該画面がディスプレイ１８に表示されると、ユーザは、作図対象とする直通階段の構造名に対応する円形枠内又は当該構造名の表示領域をマウス１６にてポインティング指定した後に、当該画面の右端に表示されている「ＯＫ」ボタンをマウス１６にて指定する。同図では、ユーザによってＳ造が指定された状態が示されている。なお、当該画面でも、階段作図支援プログラムの実行を中止する際に指定される「終了」ボタンが表示されているが、錯綜を回避するために、当該ボタンに関するこれ以上の説明は省略し、ここでは、ユーザによって階段構造の指定入力の後に、「ＯＫ」ボタンが指定される場合のみについて説明する。
【００５７】
ユーザによって「ＯＫ」ボタンが指定されると、次のステップ１１２では、ユーザに対して作図対象とする直通階段の各部の寸法を入力させるための画面で、かつ当該直通階段の構造別の各部寸法入力画面をディスプレイ１８に表示し、次のステップ１１４にて所定情報の入力待ちを行う。
【００５８】
図９には、構造種別入力画面においてＳ造が指定された場合の本実施の形態に係る各部寸法入力画面の表示状態が示されている。同図に示すように、当該画面では、入力対象とする部位の位置を示す模式図が表示されると共に、当該部位の寸法を入力するための領域（以下、「寸法入力領域」という。）が設けられている。なお、本実施の形態では、当該寸法入力領域に、「Ｆ：中央手摺占有幅」、「Ｇ：段端から手摺止りまで」、「Ｎ：階段室壁からササラ内法まで」等の寸法の入力対象とする部位の名称と共に、対応する寸法を入力するための矩形枠が表示される。ここで、上記模式図において適用されているアルファベットと、上記部位の名称の先頭に付されているアルファベットとは対応している。
【００５９】
また、当該画面では、作図対象とする直通階段に設ける手摺のタイプを選択指定するための領域（以下、「手摺タイプ選択指定領域」という。）が設けられている。本実施の形態に係る階段作図支援プログラムでは、選択可能な手摺タイプとして手摺タイプＡ〜手摺タイプＣの３種類が用意されており、手摺タイプ選択指定領域には、各手摺タイプ毎に、形状及び寸法を示す模式図と、何れかの手摺タイプを選択するために指定する円形枠が、対応する手摺タイプ名に対応して表示される。なお、手摺タイプＣは、手摺タイプＡ及び手摺タイプＢ以外の手摺タイプを指定するためのものであり、当該タイプについては、各部の寸法や価格を入力するための矩形枠が表示される。
【００６０】
当該画面がディスプレイ１８に表示されると、ユーザは、適用する手摺タイプに対応する円形枠内又は当該手摺タイプを示す模式図の表示領域をマウス１６にてポインティング指定する。これに応じて、ＣＰＵ２２は、指定された手摺タイプに対応して予め記憶されている直通階段各部の寸法のデフォルト値をハードディスク２８から読み出して、寸法入力領域における対応する矩形枠内に表示する。これに対して、ユーザは、必要に応じて当該デフォルト値を変更した後に、当該画面の最下に表示されている「名前を付けて保存」ボタンをマウス１６にて指定することにより、入力した情報（以下、「各部情報」という。）を電子化ファイルとしてハードディスク２８の所定領域に記憶させ、その後に、「次へ」ボタンをマウス１６にて指定する。なお、同図では、ユーザによって、例えば中央手摺占有幅として‘３００ｍｍ’等の各部の寸法が入力され、かつ手摺タイプとして手摺タイプＡが指定された状態が示されている。
【００６１】
なお、当該画面でも、既にハードディスク２８に記憶されている各部情報の電子化ファイルを読み出す際に指定される「名前を指定して読込」ボタンや、処理を１段階戻す際に指定される「戻る」ボタンが表示されているが、錯綜を回避するために、これらのボタンに関するこれ以上の説明は省略し、ここでは、ユーザによって各部情報が入力されてハードディスク２８に記憶された後、「次へ」ボタンが指定される場合のみについて説明する。
【００６２】
一方、図１０には、構造種別入力画面においてＲＣ造が指定された場合の本実施の形態に係る各部寸法入力画面の表示状態が示されている。同図に示すように、当該画面でも、入力対象とする部位の位置を示す模式図が表示されると共に、当該部位の寸法を入力するための寸法入力領域が設けられている。なお、本実施の形態では、当該寸法入力領域に、「Ｇ：段端から手摺止りまで」、「Ｉ：ケ上げ転び」、「Ｊ：手摺高」等の寸法の入力対象とする部位の名称と共に、対応する寸法を入力するための矩形枠が表示される。ここで、上記模式図において適用されているアルファベットも、上記部位の名称の先頭に付されているアルファベットと対応している。
【００６３】
また、当該画面でも、手摺タイプ選択指定領域が設けられている。本実施の形態に係る階段作図支援プログラムでは、ＲＣ造において選択可能な手摺タイプとしても、手摺タイプＡ〜手摺タイプＣの３種類が用意されており、手摺タイプ選択指定領域には、各手摺タイプ毎に、形状及び寸法を示す模式図と、何れかの手摺タイプを選択するために指定する円形枠が、対応する手摺タイプ名に対応して表示される。
【００６４】
当該画面がディスプレイ１８に表示されると、ユーザは、適用する手摺タイプに対応する円形枠内又は当該手摺タイプを示す模式図の表示領域をマウス１６にてポインティング指定する。これに応じて、ＣＰＵ２２は、指定された手摺タイプに対応して予め記憶されている直通階段各部の寸法のデフォルト値をハードディスク２８から読み出して、寸法入力領域における対応する矩形枠内に表示する。これに対して、ユーザは、必要に応じて当該デフォルト値を変更した後に、当該画面の最下に表示されている「名前を付けて保存」ボタンをマウス１６にて指定することにより、入力した各部情報を電子化ファイルとしてハードディスク２８の所定領域に記憶させ、その後に、「次へ」ボタンをマウス１６にて指定する。なお、同図では、ユーザによって、例えば「ケ上げ転び」として‘２０ｍｍ’等の各部の寸法が設定され、かつ手摺タイプとして手摺タイプＢが指定された状態が示されている。
【００６５】
なお、当該画面でも、「名前を指定して読込」ボタンや「戻る」ボタン等が表示されているが、錯綜を回避するために、これらのボタンに関するこれ以上の説明は省略し、ここでは、ユーザによって各部情報が入力されてハードディスク２８に記憶された後、「次へ」ボタンが指定される場合のみについて説明する。
【００６６】
ユーザによって「次へ」ボタンが指定されると、次のステップ１１６では、階段各部の寸法の法的な適合性を確認しつつ、当該寸法を確定するための法適合確認画面をディスプレイ１８に表示し、次のステップ１１８にて所定情報の入力待ちを行う。
【００６７】
図１１の左図には、本実施の形態に係る法適合確認画面の表示状態が示されている。同図に示すように、当該画面では、「施工令２３条確認事項」欄に「設定」ボタンが表示されるので、ユーザは当該画面上でマウス１６にて当該「設定」ボタンをポインティング指定する。
【００６８】
これに応じてステップ１１８が肯定判定となってステップ１２０に移行し、図１１の右図に示す建築物条件入力画面をディスプレイ１８に表示した後、次のステップ１２２にて所定情報の入力待ちを行う。
【００６９】
当該画面が表示されるとユーザは、作図対象とする建築物の条件を当該画面上でマウス１６にてポインティング指定する。なお、同図に示すように、当該建築物条件入力画面では、「小学校における児童用のもの」といった建築基準法上の建築物条件が表示されるので、該当する条件を指定するのみで容易に作図対象とする建築物の条件を入力することができる。同図では、ユーザにより、作図対象とする階段が建築基準法施行令２３条に規定される一般階段で、かつ屋内階段であり、「直上階の居室の床面積の合計が２００ｍ2を超える地上階又は居室の合計が１００ｍ2を超える地下階若しくは地下工作物内におけるもの」が指定された場合が示されている。
【００７０】
ユーザによって作図対象とする建築物の条件が指定されると、ＣＰＵ２２は、ハードディスク２８の法的制限データ領域ＤＴ２を参照して、ユーザにより指定された建築物の条件に対応する階段有効幅、蹴上げ及び踏面の各寸法の制限データを読み出し、建築物条件入力画面に表示する。同図では、階段有効幅（同図では、「階段・踊場の幅」と表記。）として‘１２００ｍｍ以上’が、蹴上げ（同図では、「ケ上げ」と表記。）として‘２００ｍｍ以下’が、踏面として‘２４０ｍｍ以上’が、各々表示されている。
【００７１】
当該制限データの表示がなされるとユーザは、特に問題がない場合には「ＯＫ」ボタンを、指定間違い等の問題があった場合には「キャンセル」ボタンを、マウス１６にてポインティング指定する。なお、ユーザによって「キャンセル」ボタンが指定された場合には、当該建築物条件入力画面にて、作図対象とする建築物の条件を再度指定することができる。
【００７２】
ユーザにより「ＯＫ」ボタンが指定されると、ＣＰＵ２２は、作図対象とする直通階段の階段有効幅、蹴上げ及び踏面の各寸法の制限データが確定されたものと見なしてステップ１２４に移行し、図１１左図に示される法適合確認画面を再びディスプレイ１８に表示する。
【００７３】
なお、同図に示すように、この時点で表示される法適合確認画面では、「施工令２３条確認事項」欄に、上記確定された階段有効幅、蹴上げ及び踏面の各寸法の制限データが表示されると共に、「各部寸法設定」欄に、上記各部寸法入力画面（図９及び図１０参照。）上でユーザによって入力された各部情報における部位の寸法のうち、中央手摺占有幅、段端から手摺止めまでの距離等の主要なものが表示される。
【００７４】
また、当該法適合確認画面では、上記階段区画平面寸法入力画面（図６参照。）におけるユーザによる指定結果に応じて特定された階段室の仕上位置の寸法、階段の登り方向、及び段配置計画範囲に基づいて、「平面データの読込」欄に、階段室幅、段割付設定範囲長さ等の、階段室の主要部の寸法が表示されると共に、「平面略図」欄に、当該寸法が明示された直通階段の平面略図が表示される。なお、上記「段割付設定範囲長さ」は、同図の平面略図において［イ］にて示されるように、段配置計画範囲の段配置方向の長さを表す。
【００７５】
一方、当該法適合確認画面では、「踏面・ケ上げ寸法確認」欄に、上記確定された踏面の制限データが表示されると共に、上記階高入力画面（図７参照。）上でユーザによって入力された階層のうちの何れかの階高が表示される。なお、本実施の形態では、上記踏面の制限データのデフォルト値として当該制限データの最小値が表示されると共に、当該制限データを、上記デフォルト値を下限値として調整することができるように表示される。
【００７６】
また、「踏面・ケ上げ寸法確認」欄には、踏面数を１段だけ増加させる際に指定される表示（「登始め段調整ａ（ＦＬ側）」及び「登始め段調整ｂ（踊り場側）」）がなされており、当該指定を行うことにより、フロア側（ＦＬ側）及び踊り場側の少なくとも一方の登始め位置に段を１段追加することができる。
【００７７】
更に、「踏面・ケ上げ寸法確認」欄には、踊り場に段を設ける際に指定される表示（「踊り場に段有り」）がなされており、当該指定を行うことにより、踊り場に対して予め定められた段数（ここでは、３段）を上限とした段数だけ段を追加することができる。
【００７８】
次のステップ１２６では、以下に示すように、法的に制限されている寸法を算出する。
【００７９】
まず、ユーザによる入力値に基づいて、一例として次の（１）式により階段有効幅Ａを算出する。
【００８０】
Ａ＝（Ｄ−Ｆ）／２−Ｎ      （１）
ここで、Ｄは階段室幅を、Ｆは中央手摺占有幅を、Ｎは階段室壁からササラ内法までの距離を、各々表す。なお、（１）式は、直通階段がＳ造である場合の演算式であり、ＲＣ造の場合の演算式は別途用意されている。
【００８１】
次に、「踏面・ケ上げ寸法確認」欄に表示されている踏面の制限データ等に基づいて、一例として次の（２）式により、この時点で「踏面・ケ上げ寸法確認」欄の表示対象となっている階層の段数ＤＳを算出する。
【００８２】
ＤＳ＝｛（ＫＬ÷ＦＳ−１）×２｝＋ＴＡ  （但し、小数点以下切り捨て）（２）
ここで、ＫＬは上記段割付設定範囲長さを、ＦＳは上記踏面の制限データを、ＴＡはユーザによって追加指定が行われた合計段数を、各々表す。例えば、「登始め段調整ａ（ＦＬ側）」及び「登始め段調整ｂ（踊り場側）」の双方が指定され、かつ追加段数が‘３’とされて「踊り場に段有り」が指定された場合には、合計段数ＴＡは５（＝１＋１＋３）となり、何れも指定されなかった場合には、合計段数ＴＡは０となる。
【００８３】
そして、次の（３）式によりケ上げ計算値ＫＳを算出する。
【００８４】
ＫＳ＝ＫＤ÷ＤＳ      （３）
ここで、ＫＤは演算対象とする階層の階高を表す。なお、上記段割付設定範囲長さ、踏面の制限データ、階高の各値は、各々、この時点で法適合確認画面で表示されている値が適用される。
【００８５】
次のステップ１２８では、上記ステップ１２６において算出された階段有効幅Ａを「平面データの読込」欄に表示すると共に、段数ＤＳ及びケ上げ計算値ＫＳを「踏面・ケ上げ寸法確認」欄に表示した後、次のステップ１３０にて所定情報の入力待ちを行う。
【００８６】
この状態でユーザは、法適合確認画面の右下に表示されている「法適合判定」ボタンをマウス１６にてポインティング指定する。
【００８７】
ユーザによって「法適合判定」ボタンが指定されると、次のステップ１３２では、この時点で表示されている階段有効幅及びケ上げ計算値が適法であるか否かを、これらの値がハードディスク２８から読み出した制限データにより示される制限条件を満たすか否かを判定することにより判定し、次のステップ１３４にて、当該判定の結果を示す情報を法適合確認画面に表示し、その後にステップ１３６にて所定情報の入力待ちを行う。なお、当該表示を本実施の形態では図１１に示すように、「階段有効幅寸法＿法適合」、「ケ上げ寸法＿法適合」というように、適法であるか否かを文字によって表示しているが、例えば、違法である場合には、違法である寸法を示す文字や表示画面全体等をリバース表示、ブリンク表示等としたり、これらの表示に加えて、警告音を発したりする形態とすることもできる。
【００８８】
ここで、法適合確認画面に、「階段有効幅寸法＿法不適合」、「ケ上げ寸法＿法不適合」といった、階段有効幅及びケ上げ計算値の少なくとも一方が違法であることを示す情報が表示された場合に、ユーザは、「踏面・ケ上げ寸法確認」欄における踏面の制限データ及び合計段数ＴＡの少なくとも一方を変更（調整）し、再度「法適合判定」ボタンを指定する。
【００８９】
これに対し、法適合確認画面に階段有効幅及びケ上げ計算値の双方が適法であることを示す情報が表示された場合にユーザは、未処理の階層がある場合には「踏面・ケ上げ寸法確認」欄における階高を残りの何れかの階層の階高となるように変更した後に「法適合判定」ボタンを指定し、全ての階層について処理が終了した場合には「次へ」ボタンを指定する。
【００９０】
ユーザによって「法適合判定」ボタン又は「次へ」ボタンが指定されると、次のステップ１３８では、ユーザによって指定されたボタンが「次へ」ボタンであったか否かを判定し、否定判定となった場合は上記ステップ１２６に戻って再びステップ１２６〜ステップ１３６の処理を実行し、肯定判定となった時点で、全ての階層について階段各部の寸法の法的な適合性が確認されて、当該寸法が確定されたものと見なしてステップ１４０に移行する。
【００９１】
ステップ１４０では、以上の処理によって得られた直通階段全体の各部寸法を一覧表示する最終結果表示画面をディスプレイ１８に表示し、次のステップ１４２にて所定情報の入力待ちを行う。
【００９２】
図１２には、本実施の形態に係る最終結果表示画面の表示状態が示されている。同図に示すように、当該画面では、以上の処理の結果得られた各種情報に基づいて、何れかの階層の平面略図及び主要な部位の寸法等と、全ての階層に関する主要な部位の寸法及び段数の一覧表と、が表示される。なお、当該一覧表における「登調ａ」及び「登調ｂ」は、各々前述の「登始め段調整ａ」及び「登始め段調整ｂ」に対応し、「踊場段」は前述の「踊り場に段有り」にて設定された段数であり、「踊場ＬＶ」は当該階層のフロアから踊り場までの高さを示すものである。
【００９３】
当該画面がディスプレイ１８に表示されると、ユーザは、表示内容に問題がない場合は当該画面の最下に表示されている「名前を付けて保存」ボタンをマウス１６にて指定することにより、以上の処理の結果得られると共に、直通階段の作図に必要とされる各種情報（以下、「作図用情報」という。）を電子化ファイルとしてハードディスク２８の所定領域に記憶させ、その後に「次へ」ボタンをマウス１６にて指定する。ここで、ハードディスク２８に記憶された作図用情報は、作図対象とされる直通階段の平面モデル及び断面モデルを構成することができる。
【００９４】
これに対し、表示内容に何らかの問題があり、処理を１段階戻す場合には「戻る」ボタンをマウス１６にて指定する。
【００９５】
ユーザによって「次へ」ボタンが指定されると、次のステップ１４４では、以上の処理によって得られた各種情報に基づいて直通階段を作図を行う階段図面作成処理ルーチンを実行した後、本階段作図支援プログラムを終了する。
【００９６】
次に、図５を参照して、本実施の形態に係る階段図面作成処理ルーチンについて説明する。なお、図５は、階段図面作成処理ルーチンプログラムの処理の流れを示すフローチャートであり、該プログラムもハードディスク２８のプログラム領域ＰＧに予め記憶されている。
【００９７】
まず、同図のステップ２００では、ユーザに対して直通階段の作図に関する指示情報を入力させるための画面で、かつ当該直通階段の構造別の図面作成設定画面をディスプレイ１８に表示し、次のステップ２０２にて所定情報の入力待ちを行う。
【００９８】
図１３（Ａ）には、構造種別入力画面においてＳ造が指定された場合の本実施の形態に係る図面作成設定画面の表示状態が示されている。同図に示すように、当該画面では、断面図を作成する際における切断位置を設定する際に指定される「断面作図位置指定」ボタンと、段（ササラ）方向で切断した断面図を作成する際に指定される「断面作図（段方向）」ボタンと、フロア側又は踊り場側で切断した断面図を作成する際に指定される「断面作図（フロア方向）」ボタンと、平面図を作成する際に指定される「平面作図」ボタンと、が表示される。
【００９９】
一方、図１３（Ｂ）には、構造種別入力画面においてＲＣ造が指定された場合の本実施の形態に係る図面作成設定画面の表示状態が示されている。同図に示すように、当該画面では、Ｓ造の場合の画面に比較して、作成する図面の種別を切り換える際に指定される「設計図」ボタンが更に表示される点のみが異なる。なお、本実施の形態では、上記図面の種別として「設計図」、及び設計図から仕上情報を除いた「躯体図」の２種類が予め用意されている。通常、設計図は設計段階で作成されるものであり、躯体図は施工段階で作成されるものである。従って、通常、設計図を作成する者と躯体図を作成する者は異なる場合が一般的であるため、設計図と躯体図との間で不整合が生じる場合もあった。しかしながら、本実施の形態に係る階段作図支援装置１０では、作図対象とする直通階段がＲＣ造の場合には、作成する図面を設計図及び躯体図の何れかに選択することができるものとされているので、これらの図面を統一的に作成することができ、上記のような不整合が生じることはない。
【０１００】
ここで、本階段図面作成処理ルーチンでは、平面図を作成する場合にも切断位置を表示するため、以上の何れかの図面作成設定画面が表示された場合にユーザは、最初に「断面作図位置指定」ボタンをマウス１６にてポインティング指定する必要がある。
【０１０１】
ユーザによって「断面作図位置指定」ボタンが指定されると、次のステップ２０４では、ユーザに対して断面図を作成する際における切断位置を設定させるための断面作図位置指定画面をディスプレイ１８に表示し、次のステップ２０６にて所定情報の入力待ちを行う。
【０１０２】
図１４には、本実施の形態に係る断面作図位置指定画面の表示状態が示されている。同図に示すように、当該画面では、段（ササラ）方向に平行な切断線で、かつ踊り場より下側に位置される各段を通る切断線（Ａ）と、当該段方向に平行な切断線で、かつ踊り場より上側に位置される各段を通る切断線（Ｂ）と、の２種類の切断線の何れか一方が選択できると共に、切断線（Ａ）と直交する方向に平行な切断線で、かつフロアを通る切断線（Ｃ）と、切断線（Ａ）と直交する方向に平行な切断線で、かつ踊り場を通る切断線（Ｄ）と、の２種類の切断線の何れか一方が選択できるように表示されている。
【０１０３】
当該画面が表示されると、ユーザは、切断線（Ａ）及び切断線（Ｂ）の何れか一方と、切断線（Ｃ）及び切断線（Ｄ）の何れか一方をマウス１６にてポインティング指定した後、当該画面の最下に表示されている「ＯＫ」ボタンをマウス１６にて指定する。なお、図１４では、ユーザによって切断線（Ａ）及び切断線（Ｃ）が選択指定された場合が示されている。
【０１０４】
ユーザによって「ＯＫ」ボタンが指定されると、次のステップ２０８では、上記ステップ２００において表示したものと同様の図面作成設定画面をディスプレイ１８に表示し、次のステップ２１０にて所定情報の入力待ちを行う。
【０１０５】
当該画面がディスプレイ１８に表示されると、ユーザは、段（ササラ）方向で切断した断面図を作成する際には「断面作図（段方向）」ボタンを指定し、フロア側又は踊り場側で切断した断面図を作成する際には「断面作図（フロア方向）」ボタンを指定し、平面図を作成する際には「平面作図」ボタンを指定する。なお、当該画面がＲＣ造に対応するものである場合に、ユーザは、作図する図面の種別を設計図又は躯体図に必要に応じて切り換える。
【０１０６】
ユーザによって「断面作図（段方向）」ボタン、「断面作図（フロア方向）」ボタン、「平面作図」ボタンの何れかが指定されると、次のステップ２１２では、上記最終結果表示画面（図１２参照。）上での操作に応じて記憶された作図用情報をハードディスク２８から読み出し、各階層毎の平面モデル及び断面モデルを生成した後、上層・下層の平面モデルを連続するように結合することで各階平面図用モデルを作成し、また、全階層の断面モデルを連続するように結合することで直通階段全体の断面図用モデルを作成する。
【０１０７】
そして、当該直通階段の各階平面図用モデル及び断面図用モデルを用いて、上記図面作成設定画面においてユーザによって「断面作図（段方向）」ボタン又は「断面作図（フロア方向）」ボタンが指定された場合には、上記断面作図位置指定画面によって指定された対応する切断線で切断した場合の断面図を作成し、上記図面作成設定画面においてユーザによって「平面作図」ボタンが指定された場合には、各階層毎の平面図を作成して、作成した図面をディスプレイ１８に表示した後に本階段図面作成処理ルーチンを終了する。なお、当該平面図を作成する場合、上記断面作図位置指定画面によって指定された切断線の位置を示す断面位置記号が含まれるようにする。
【０１０８】
図１５には、上記ステップ２１２の処理によってディスプレイ１８に表示される図面の一例が示されている。なお、同図では、便宜上、平面図と断面図を纏めて示しているが、実際には、上記図面作成設定画面上でユーザにより指定された図面のみが表示されることになる。
【０１０９】
以上のような階段作図支援プログラムの実行後に、ユーザは、作成された平面図や断面図をプリンタ５０により随時印刷することができる。
【０１１０】
以上詳細に説明したように、本実施の形態では、直通階段の作図に必要な各部寸法のうち、当該直通階段が設けられる建築物の条件毎に法律で規定されている寸法の制限条件を示す制限情報を記憶手段（ハードディスク２８）に予め記憶しておき、作図対象とする直通階段が設けられる建築物の条件及び当該直通階段における階段室の平面寸法を入力させ、入力された平面寸法に基づいて前記法律で規定されている寸法を演算し、入力された建築物の条件に応じた前記制限情報を前記記憶手段から読み出し、読み出した前記制限情報により示される制限条件を前記演算した寸法が満たすか否かを判定し、当該判定結果を明示しているので、法的な規定を満たす直通階段の作図を、手戻りによる作業負担の増大を抑制しつつ簡易に行うことができる。
【０１１１】
また、本実施の形態では、前記記憶手段に、前記制限情報として、階段有効幅寸法、踏面寸法、及び蹴上げ寸法の各制限条件を示す情報を建築物の条件毎に予め記憶しておき、前記階段室の平面寸法として、当該階段室における段配置範囲（段配置計画範囲）及び階段室幅を示す寸法を入力させると共に、前記作図対象とする直通階段が設けられる建築物の当該直通階段が設けられる階層の階高を入力させ、入力された前記階段室幅に基づいて階段有効幅寸法を演算すると共に、入力された建築物の条件に応じた前記踏面寸法の制限条件を示す制限情報を前記記憶手段から読み出し、当該制限条件を満たす踏面寸法と入力された前記段配置範囲とに基づいて前記階層毎の段数を演算した後、当該段数と入力された階高に基づいて蹴上げ寸法を演算しているので、建築基準法による階段有効幅寸法、踏面寸法、及び蹴上げ寸法の各制限条件を満たす直通階段の作図を、手戻りによる作業負担の増大を抑制しつつ簡易に行うことができる。
【０１１２】
また、本実施の形態では、制限条件を満たすと判定された場合に、入力された前記平面寸法と、演算された前記法律で規定されている寸法とに基づいて前記作図対象とする直通階段の平面モデル及び断面モデルを作成しているので、法的な規定を満たす直通階段の平面モデル及び断面モデルの作成を、手戻りによる作業負担の増大を抑制しつつ簡易に行うことができる。
【０１１３】
また、本実施の形態では、前記階段室の平面寸法を当該階段室における平面視４頂点のうちの３頂点を前記作図対象とする直通階段の登り方向を示す順序で入力するものとし、前記３頂点の入力順序に応じて前記直通階段の登り方向を判断して前記平面モデル及び断面モデルを作成しているので、直通階段の登り方向の入力を、階段室の平面寸法の入力を行うことのみによって行うことができ、ユーザに対する作業負担を軽減させることができる。
【０１１４】
また、本実施の形態では、入力された寸法及び演算された寸法を用いて作成された前記作図対象とする直通階段の平面略図を表示手段（ディスプレイ１８）により表示しているので、当該表示手段によって表示された平面略図を参照しつつ作図作業を進めることができ、利便性を向上させることができる。
【０１１５】
更に、本実施の形態では、入力対象を前記作図対象とする直通階段の構造毎に入力し、前記作図対象とする直通階段の構造毎に予め定められた演算式により前記演算を行っているので、作図対象とする直通階段の構造に応じた演算を行うことができ、法律で規定されている寸法を、より高精度に演算することができる。
【０１１６】
なお、本実施の形態では、法律で規定されている寸法として、階段有効幅寸法、踏面寸法、及び蹴上げ寸法を適用した場合について説明したが、本発明はこれに限定されるものではなく、例えば、これらの寸法に加えて、建築基準法の施工令２４条に規定されている踊り場の位置を示す寸法及び踊り場の踏面寸法の少なくとも一方を適用する形態とすることもできる。この場合、より多くの寸法について法的な規定を満たす直通階段の作図を、手戻りによる作業負担の増大を抑制しつつ簡易に行うことができる。
【０１１７】
また、本実施の形態では、階段室の平面寸法を当該階段室における平面視４頂点のうちの３頂点を前記作図対象とする直通階段の登り方向を示す順序で入力するものとした場合について説明したが、本発明はこれに限定されるものではなく、例えば、前記階段室の平面寸法を当該階段室における平面視４頂点のうちの３頂点を前記作図対象とする直通階段の下り方向を示す順序で入力するものとする形態とすることもできる。この場合も、本実施の形態と同様の効果を奏することができる。
【０１１８】
また、本実施の形態では、階段有効幅寸法及び蹴上げ寸法が違法なものであった場合に、踏面の寸法及び段数の少なくとも一方のみを調整する場合について説明したが、本発明はこれに限定されるものではなく、例えば、階段室の平面寸法を調整したり、一例として図９及び図１０に示される各部寸法入力画面を再び表示させて、当該画面で設定可能とされている各部寸法を調整したりする形態とすることもできる。この場合も、本実施の形態と同様の効果を奏することができる。
【０１１９】
また、本実施の形態で説明した階段作図支援装置１０の構成（図１〜図３参照。）も一例であり、本発明の主旨を逸脱しない範囲内において適宜変更可能であることは言うまでもない。
【０１２０】
また、本実施の形態で示した階段作図支援プログラムの処理の流れ（図４参照。）や、階段図面作成処理ルーチンの処理の流れ（図５参照。）も一例であり、本発明の主旨を逸脱しない範囲内において適宜変更可能であることは言うまでもない。
【０１２１】
また、本実施の形態で示した各種画面の構成（図６〜図１５参照。）も一例であり、本発明の主旨を逸脱しない範囲内において適宜変更可能であることは言うまでもない。
【０１２２】
更に、本実施の形態で示した各種演算式（（１）式〜（３）式）も一例であり、本発明の主旨を逸脱しない範囲内において適宜変更可能であることは言うまでもない。
【図面の簡単な説明】
【０１２３】
【図１】実施の形態に係る階段作図支援装置１０の外観を示す斜視図である。
【図２】実施の形態に係る階段作図支援装置１０の電気系の主要構成を示すブロック図である。
【図３】実施の形態に係る階段作図支援装置１０に備えられたハードディスク２８の主な記憶内容を示す模式図である。
【図４】実施の形態に係る階段作図支援プログラムの処理の流れを示すフローチャートである。
【図５】実施の形態に係る階段図面作成処理ルーチンプログラムの処理の流れを示すフローチャートである。
【図６】実施の形態に係る階段区画平面寸法入力画面の表示状態を示す概略図である。
【図７】実施の形態に係る階高入力画面の表示状態を示す概略図である。
【図８】実施の形態に係る構造種別入力画面の表示状態を示す概略図である。
【図９】実施の形態に係るＳ造用の各部寸法入力画面の表示状態を示す概略図である。
【図１０】実施の形態に係るＲＣ造用の各部寸法入力画面の表示状態を示す概略図である。
【図１１】実施の形態に係る法適合確認画面及び建築物条件入力画面の表示状態を示す概略図である。
【図１２】実施の形態に係る最終結果表示画面の表示状態を示す概略図である。
【図１３】実施の形態に係るＳ造用及びＲＣ造用の図面作成設定画面の表示状態を示す概略図である。
【図１４】実施の形態に係る断面作図位置指定画面の表示状態を示す概略図である。
【図１５】実施の形態に係る階段作図支援装置１０により作成された図面の表示例を示す概略図である。
【符号の説明】
【０１２４】
１０    階段作図支援装置
１４    キーボード（寸法入力手段）
１６    マウス（建築物条件入力手段）
１８    ディスプレイ（表示手段）
２２    ＣＰＵ（演算手段、判定手段、明示手段、作成手段）
２８    ハードディスク（記憶手段）
【図１】
2005148825.tif 000003
【図２】
2005148825.tif 000004
【図３】
2005148825.tif 000005
【図４】
2005148825.tif 000006
【図５】
2005148825.tif 000007
【図６】
2005148825.tif 000008
【図７】
2005148825.tif 000009
【図８】
2005148825.tif 000010
【図９】
2005148825.tif 000011
【図１０】
2005148825.tif 000012
【図１１】
2005148825.tif 000013
【図１２】
2005148825.tif 000014
【図１３】
2005148825.tif 000015
【図１４】
2005148825.tif 000016
【図１５】
2005148825.tif 000017